(57)【特許請求の範囲】
【請求項１】
コントローラ用の第１ＨＡ端子を有するＨＡ端子用インターフェースユニットと、前記第１ＨＡ端子に接続された端末用の第２ＨＡ端子を有して、湯張り機能付きの給湯装置を遠隔操作するリモコンとに、前記第１ＨＡ端子及び前記第２ＨＡ端子により接続して使用される排水栓制御装置であって、
前記第２ＨＡ端子のモニタ信号出力部に接続される制御信号入力部と、前記第１ＨＡ端子のモニタ信号入力部に接続されるモニタ信号出力部とを有する端末用の第３ＨＡ端子と、
浴槽に設けられて、アクチュエータにより開栓状態と閉栓状態とが切り替えられる排水栓を駆動する排水栓駆動部と、
前記ＨＡ端子用インターフェースユニットの前記第１ＨＡ端子の制御信号出力部から、前記リモコンの前記第２ＨＡ端子の制御信号入力部への、湯張りを指示する制御信号の出力に応じて、前記第２ＨＡ端子のモニタ信号出力部から前記第３ＨＡ端子の制御信号入力部に第１モニタ信号が入力されたときに、前記第３ＨＡ端子のモニタ信号出力部から前記第１ＨＡ端子のモニタ信号入力部に第２モニタ信号を出力すると共に、前記排水栓駆動部により前記排水栓を閉栓状態に制御する制御部と
を備えたことを特徴とする排水栓制御装置。
【請求項２】
請求項１に記載の排水栓制御装置において、
前記制御部は、前記第３ＨＡ端子のモニタ信号出力部から前記第１ＨＡ端子のモニタ信号入力部に第２モニタ信号を出力した後、前記第２ＨＡ端子のモニタ信号出力部から前記第３ＨＡ端子の制御信号入力部への前記第１モニタ信号の入力が停止したときに、前記第３ＨＡ端子のモニタ信号出力部から前記第１ＨＡ端子のモニタ信号入力部への前記第２モニタ信号の出力を停止することを特徴とする排水栓制御装置。
【請求項３】
コントローラ用の第１ＨＡ端子を有するＨＡ端子用インターフェースユニットと、前記第１ＨＡ端子に接続された端末用の第２ＨＡ端子を有して、湯張り機能付きの給湯装置を遠隔操作するリモコンとに、前記第１ＨＡ端子及び前記第２ＨＡ端子により接続して使用される排水栓制御装置であって、
前記第１ＨＡ端子の制御信号出力部に接続される制御信号入力部と、前記第２ＨＡ端子の制御信号入力部に接続されるモニタ信号出力部とを有する端末用の第３ＨＡ端子と、
浴槽に設けられて、アクチュエータにより開栓状態と閉栓状態とが切り替えられる排水栓を駆動する排水栓駆動部と、
前記ＨＡ端子用インターフェースユニットの前記第１ＨＡ端子の制御信号出力部から前記第３ＨＡ端子の制御信号入力部に、湯張りを指示する制御信号が入力されたときに、前記第３ＨＡ端子のモニタ信号出力部から前記第２ＨＡ端子の制御信号入力部に、湯張りを指示する制御信号として機能する第１モニタ信号を出力すると共に、前記排水栓駆動部により前記排水栓を閉栓状態に制御する制御部と
を備えたことを特徴とする排水栓制御装置。
【請求項４】
コントローラ用の第１ＨＡ端子を有するＨＡ端子用インターフェースユニットと、
端末用の第２ＨＡ端子を有して、湯張り機能付きの給湯装置を遠隔操作するリモコンと、
端末用の第３ＨＡ端子と、浴槽に設けられて、アクチュエータの作動によって開栓状態と閉栓状態とが切り替えられる排水栓を駆動する排水栓駆動部と、該排水栓駆動部による前記排水栓の駆動を制御する制御部とを備えた排水栓制御装置とを備えた湯張り指示対応システムであって、
前記第１ＨＡ端子の制御信号出力部が前記第２ＨＡ端子の制御信号入力部に接続され、前記第２ＨＡ端子のモニタ信号出力部が前記第３ＨＡ端子の制御信号入力部に接続され、前記第３ＨＡ端子のモニタ信号出力部が前記第１ＨＡ端子のモニタ信号入力部に接続され、
前記ＨＡ端子用インターフェースユニットは、通信ネットワークを介して通信端末から送信される湯張り指示信号を受信したときに、前記第１ＨＡ端子の制御信号出力部から前記第２ＨＡ端子の制御信号入力部に制御信号を出力し、
前記リモコンは、前記第２ＨＡ端子の制御信号入力部に前記制御信号が入力されたときに、前記給湯装置に対して浴槽への湯張りの開始を指示すると共に、前記第２ＨＡ端子のモニタ信号出力部から前記第３ＨＡ端子の制御信号入力部に第１モニタ信号を出力し、
前記排水栓制御装置は、前記第３ＨＡ端子の制御信号入力部に前記第１モニタ信号が入力されたときに、前記第３ＨＡ端子のモニタ信号出力部から前記第１ＨＡ端子のモニタ信号入力部に第２モニタ信号を出力すると共に、前記排水栓駆動部により前記排水栓を閉栓状態に制御することを特徴とする湯張り指示対応システム。
【請求項５】
コントローラ用の第１ＨＡ端子を有するＨＡ端子用インターフェースユニットと、
端末用の第２ＨＡ端子を有して、湯張り機能付きの給湯装置を遠隔操作するリモコンと、
端末用の第３ＨＡ端子と、浴槽に設けられて、アクチュエータの作動によって開栓状態と閉栓状態とが切り替えられる排水栓を駆動する排水栓駆動部と、該排水栓駆動部による前記排水栓の駆動を制御する制御部とを備えた排水栓制御装置とを備えた湯張り指示対応システムであって、
前記第１ＨＡ端子の制御信号出力部が前記第３ＨＡ端子の制御信号入力部に接続され、前記第３ＨＡ端子のモニタ信号出力部が前記第２ＨＡ端子の制御信号入力部に接続され、前記第２ＨＡ端子のモニタ信号出力部が前記第１ＨＡ端子のモニタ信号入力部に接続され、
前記ＨＡ端子用インターフェースユニットは、通信ネットワークを介して通信端末から送信される湯張り指示信号を受信したときに、前記第１ＨＡ端子の制御信号出力部から前記第３ＨＡ端子の制御信号入力部に制御信号を出力し、
前記排水栓制御装置は、前記第３ＨＡ端子の制御信号入力部に前記制御信号が入力されたときに、前記第３ＨＡ端子のモニタ信号出力部から前記第２ＨＡ端子の制御信号入力部に第１モニタ信号を出力すると共に、前記排水栓駆動部により前記排水栓を閉栓状態に制御し、
前記リモコンは、前記第２ＨＡ端子の制御信号入力部に前記第１モニタ信号が入力されたときに、前記給湯装置に対して湯張りの開始を指示すると共に、前記第２ＨＡ端子のモニタ信号出力部から前記第１ＨＡ端子のモニタ信号入力部に第２モニタ信号を出力することを特徴とする湯張り指示対応システム。
【発明の詳細な説明】
【技術分野】
【０００１】
本発明は、通信ネットワークを介した遠隔操作が可能な排水栓制御装置に関する。
【背景技術】
【０００２】
従来、浴槽に設けられた排水栓の開栓と閉栓を行う排水栓装置の操作が可能な給湯装置においては、リモコンにより浴槽への湯張りが指示されたときに、排水栓装置により排水栓を閉栓する処理を併せて行っている（例えば、特許文献１参照）。
【０００３】
また、給湯装置のリモコンにＨＡ（ホームオートメーション）端子（ＪＥＭ−Ａ端子）を備えた構成が知られている（例えば、特許文献２参照）。この構成によれば、リモコンのＨＡ端子を通信ケーブルを介してＪＥＭ−Ａ端子用インターフェースユニット（ＩＦＵ）に接続することにより、通信ネットワークを介して通信端末（スマートフォン等）により給湯装置を遠隔操作することが可能になる。
【０００４】
ここで、ＪＥＭ−Ａは、制御信号の出力（ＯＮ／ＯＦＦ）の制御とモニタ信号の受信のみを行うことができる通信規格であり、例えば、使用者が通信端末を操作して、湯張りを指示するデータがＩＦＵに送信されると、ＩＦＵからリモコンに対する制御信号の出力がＯＮになる。そして、リモコンはＩＦＵにモニタ信号を出力すると共に、給湯装置の制御部に対して湯張り運転の実行を指示し、これにより浴槽への湯張りが実行される。
【先行技術文献】
【特許文献】
【０００５】
【特許文献１】特開２００５−１７２２９２号公報
【特許文献２】特開２００８−１２８５０１号公報
【発明の概要】
【発明が解決しようとする課題】
【０００６】
特許文献１に記載された給湯装置のように、給湯装置の制御部によって浴槽の排水栓装置を操作することができる構成になっていれば、リモコンのＨＡ端子への制御信号の入力に応じて浴槽への湯張りを行う際に、浴槽の排水栓を閉栓することができる。
【０００７】
しかしながら、浴槽の排水栓装置が給湯装置とは別に設置されたものであって、給湯装置の制御部により排水栓装置を操作することができない場合には、湯張りを開始する際に排水栓装置を作動させて排水栓を閉栓することができない。そのため、排水栓が開栓された状態で湯張りが指示されるおそれがあり、この場合には湯張りを行うことができない。
【０００８】
そこで、例えば、排水栓装置にＨＡ端子を設けてリモコンの別のＨＡ端子に接続することで、排水栓装置を別の制御信号によって閉栓させることが考えられる。しかしながら、このような構成にするためには、リモコンに複数のＨＡ端子を用意する必要があり、また、通信端末から、湯張りを指示する制御信号と排水栓の閉栓を指示する制御信号とを送信する必要があるため、遠隔操作の構成が複雑になるという不都合がある。
【０００９】
本発明はかかる背景に鑑みてなされたものであり、ＨＡ端子を利用した簡易な構成により、給湯装置に対する湯張りの指示に応じて、排水性の閉栓制御を行うことができる排水栓制御装置、及び湯張り指示対応システムを提供することを目的とする。
【課題を解決するための手段】
【００１０】
本発明の排水栓制御装置の第１の態様は、コントローラ用の第１ＨＡ端子を有するＨＡ端子用インターフェースユニットと、前記第１ＨＡ端子に接続された端末用の第２ＨＡ端子を有して、湯張り機能付きの給湯装置を遠隔操作するリモコンとに、前記第１ＨＡ端子及び前記第２ＨＡ端子により接続して使用される排水栓制御装置であって、
前記第２ＨＡ端子のモニタ信号出力部に接続される制御信号入力部と、前記第１ＨＡ端子のモニタ信号入力部に接続されるモニタ信号出力部とを有する端末用の第３ＨＡ端子と、
浴槽に設けられて、アクチュエータにより開栓状態と閉栓状態とが切り替えられる排水栓を駆動する排水栓駆動部と、
前記ＨＡ端子用インターフェースユニットの前記第１ＨＡ端子の制御信号出力部から、前記リモコンの前記第２ＨＡ端子の制御信号入力部への、湯張りを指示する制御信号の出力に応じて、前記第２ＨＡ端子のモニタ信号出力部から前記第３ＨＡ端子の制御信号入力部に第１モニタ信号が入力されたときに、前記第３ＨＡ端子のモニタ信号出力部から前記第１ＨＡ端子のモニタ信号入力部に第２モニタ信号を出力すると共に、前記排水栓駆動部により前記排水栓を閉栓状態に制御する制御部と
を備えたことを特徴とする。
【００１１】
かかる本発明によれば、ＨＡ端子用インターフェースユニット（以下、ＩＦＵという）は、電話回線、インターネット等の通信ネットワークを介して通信端末（スマートフォン、携帯電話等）と通信を行うものであり、使用者は、外出先で通信端末を操作してＩＦＵのＨＡ端子に接続された端末の作動を指示することができる。
【００１２】
ここで、詳細は後述するが、ＩＦＵにはコントローラ用のＨＡ端子が設けられ、端末には端末用のＨＡ端子が設けられる。コントローラ用のＨＡ端子は、端末に対して制御信号を出力する制御信号出力部と、端末から出力されるモニタ信号を入力するモニタ信号入力部を備えている。また、端末用のＨＡ端子は、コントローラから出力される制御信号を入力する制御信号入力部と、コントローラに対してモニタ信号を出力するモニタ信号出力部とを備えている。
【００１３】
本発明において、制御部は、リモコンに設けられた第２ＨＡ端子のモニタ信号出力部から第３ＨＡ端子の制御信号入力部に第１モニタ信号が入力されたときに、第３ＨＡ端子のモニタ信号出力部から第１ＨＡ端子のモニタ信号入力部に第２モニタ信号を出力すると共に、排水栓駆動部により排水栓を閉栓状態に制御する。
【００１４】
この構成により、ＩＦＵが通信端末から湯張りを指示する信号を受信して、第１ＨＡ端子の制御信号出力部からリモコンの第２ＨＡ端子の制御信号入力部に湯張りを指示する制御信号を出力し、この制御信号を受信したリモコンが、第２ＨＡ端子のモニタ信号出力部からモニタ信号（湯張りの実行中を示すモニタ信号）を出力する処理を実行することにより、ＩＦＵ及びリモコンの一つのＨＡ端子を利用した簡易な構成により、給湯装置に対する湯張りの開始指示に応じて、排水栓の閉栓制御を行うことができる。
【００１５】
また、前記制御部は、前記第３ＨＡ端子のモニタ信号出力部から前記第１ＨＡ端子のモニタ信号入力部に第２モニタ信号を出力した後、前記第２ＨＡ端子のモニタ信号出力部から前記第３ＨＡ端子の制御信号入力部への前記第１モニタ信号の入力が停止したときに、前記第３ＨＡ端子のモニタ信号出力部から前記第１ＨＡ端子のモニタ信号入力部への前記第２モニタ信号の出力を停止することを特徴とする。
【００１６】
この構成によれば、給湯装置による湯張り運転が終了して、リモコンの第２ＨＡ端子のモニタ信号出力部から第３ＨＡ端子の制御信号入力部への第１モニタ信号の入力が停止したときに、制御部は、第３ＨＡ端子のモニタ信号出力部からＩＦＵの第１ＨＡ端子のモニタ信号入力部への第２モニタ信号の出力を停止する。
【００１７】
この第２モニタ信号の出力停止により、湯張りが終了したことをＩＦＵに認識させて、湯張りが終了したことを報知する信号を、ＩＦＵから通信ネットワーク介して使用者の通信端末に送信させることができる。
【００１８】
次に、本発明の排水栓制御装置の第２の態様は、コントローラ用の第１ＨＡ端子を有するＨＡ端子用インターフェースユニットと、前記第１ＨＡ端子に接続された端末用の第２ＨＡ端子を有して、湯張り機能付きの給湯装置を遠隔操作するリモコンとに、前記第１ＨＡ端子及び前記第２ＨＡ端子により接続して使用される排水栓制御装置であって、
前記第１ＨＡ端子の制御信号出力部に接続される制御信号入力部と、前記第２ＨＡ端子の制御信号入力部に接続されるモニタ信号出力部とを有する端末用の第３ＨＡ端子と、
浴槽に設けられて、アクチュエータにより開栓状態と閉栓状態とが切り替えられる排水栓を駆動する排水栓駆動部と、
前記ＨＡ端子用インターフェースユニットの前記第１ＨＡ端子の制御信号出力部から前記第３ＨＡ端子の制御信号入力部に、湯張りを指示する制御信号が入力されたときに、前記第３ＨＡ端子のモニタ信号出力部から前記第２ＨＡ端子の制御信号入力部に、湯張りを指示する制御信号として機能する第１モニタ信号を出力すると共に、前記排水栓駆動部により前記排水栓を閉栓状態に制御する制御部と
を備えたことを特徴とする。
【００１９】
かかる本発明によれば、制御部は、ＩＦＵに設けられた第１ＨＡ端子の制御信号出力部から第３ＨＡ端子の制御信号入力部に、湯張りを指示する制御信号が入力されたときに、第３ＨＡ端子のモニタ信号出力部から第２ＨＡ端子の制御信号入力部に、湯張りを指示する制御信号として機能する第１モニタ信号を出力すると共に、排水栓駆動部により排水栓を閉栓状態に制御する。
【００２０】
この構成により、ＩＦＵが通信端末から湯張りを指示する信号を受信して、第１ＨＡ端子の制御信号出力部から排水栓制御装置の第３ＨＡ端子の制御信号入力部に、湯張りを指示する制御信号を出力する処理を実行することにより、ＩＦＵ及びリモコンの一つのＨＡ端子を利用した簡易な構成により、給湯装置に対する湯張りの開始指示に応じて、排水栓の閉栓制御を行うことができる。
【００２１】
次に、本発明の湯張り指示対応システムの第１の態様は、
コントローラ用の第１ＨＡ端子を有するＨＡ端子用インターフェースユニットと、
端末用の第２ＨＡ端子を有して、湯張り機能付きの給湯装置を遠隔操作するリモコンと、
端末用の第３ＨＡ端子と、浴槽に設けられて、アクチュエータの作動によって開栓状態と閉栓状態とが切り替えられる排水栓を駆動する排水栓駆動部と、該排水栓駆動部による前記排水栓の駆動を制御する制御部とを備えた排水栓制御装置とを備えた湯張り指示対応システムであって、
前記第１ＨＡ端子の制御信号出力部が前記第２ＨＡ端子の制御信号入力部に接続され、前記第２ＨＡ端子のモニタ信号出力部が前記第３ＨＡ端子の制御信号入力部に接続され、前記第３ＨＡ端子のモニタ信号出力部が前記第１ＨＡ端子のモニタ信号入力部に接続され、
前記ＨＡ端子用インターフェースユニットは、通信ネットワークを介して通信端末から送信される湯張り指示信号を受信したときに、前記第１ＨＡ端子の制御信号出力部から前記第２ＨＡ端子の制御信号入力部に制御信号を出力し、
前記リモコンは、前記第２ＨＡ端子の制御信号入力部に前記制御信号が入力されたときに、前記給湯装置に対して浴槽への湯張りの開始を指示すると共に、前記第２ＨＡ端子のモニタ信号出力部から前記第３ＨＡ端子の制御信号入力部に第１モニタ信号を出力し、
前記排水栓制御装置は、前記第３ＨＡ端子の制御信号入力部に前記第１モニタ信号が入力されたときに、前記第３ＨＡ端子のモニタ信号出力部から前記第１ＨＡ端子のモニタ信号入力部に第２モニタ信号を出力すると共に、前記排水栓駆動部により前記排水栓を閉栓状態に制御することを特徴とする。
【００２２】
かかる本発明によれば、ＨＡ端子用インターフェースユニット（以下、ＩＦＵという）は、通信ネッワークを介して通信端末から湯張り指示信号を受信したときに、第１ＨＡ端子の制御信号出力部から第２ＨＡ端子の制御信号入力部に制御信号を出力する。また、リモコンは、第２ＨＡ端子の制御信号入力部に制御信号が入力されたときに、給湯装置に対して浴槽への湯張りの開始を指示すると共に、第２ＨＡ端子のモニタ信号出力部から前記第３ＨＡ端子の制御信号入力部に第１モニタ信号を出力する。
【００２３】
そして、排水栓制御装置は、第３ＨＡ端子の制御信号入力部に第１モニタ信号が入力されたときに、第３ＨＡ端子のモニタ信号出力部から第１ＨＡ端子のモニタ信号入力部に第２モニタ信号を出力すると共に、排水栓駆動部により排水栓を閉栓状態に制御する。
【００２４】
これにより、ＩＦＵ及びリモコンに備えられた一つのＨＡ端子を利用した簡易な構成により、給湯装置に対する湯張りの開始指示に応じて、排水栓の閉栓制御を行うことができる。
【００２５】
また、本発明の湯張り指示対応システムの第２の態様は、
コントローラ用の第１ＨＡ端子を有するＨＡ端子用インターフェースユニットと、
端末用の第２ＨＡ端子を有して、湯張り機能付きの給湯装置を遠隔操作するリモコンと、
端末用の第３ＨＡ端子と、浴槽に設けられて、アクチュエータの作動によって開栓状態と閉栓状態とが切り替えられる排水栓を駆動する排水栓駆動部と、該排水栓駆動部による前記排水栓の駆動を制御する制御部とを備えた排水栓制御装置とを備えた湯張り指示対応システムであって、
前記第１ＨＡ端子の制御信号出力部が前記第３ＨＡ端子の制御信号入力部に接続され、前記第３ＨＡ端子のモニタ信号出力部が前記第２ＨＡ端子の制御信号入力部に接続され、前記第２ＨＡ端子のモニタ信号出力部が前記第１ＨＡ端子のモニタ信号入力部に接続され、
前記ＨＡ端子用インターフェースユニットは、通信ネットワークを介して通信端末から送信される湯張り指示信号を受信したときに、前記第１ＨＡ端子の制御信号出力部から前記第３ＨＡ端子の制御信号入力部に制御信号を出力し、
前記排水栓制御装置は、前記第３ＨＡ端子の制御信号入力部に前記制御信号が入力されたときに、前記第３ＨＡ端子のモニタ信号出力部から前記第２ＨＡ端子の制御信号入力部に第１モニタ信号を出力すると共に、前記排水栓駆動部により前記排水栓を閉栓状態に制御し、
前記リモコンは、前記第２ＨＡ端子の制御信号入力部に前記第１モニタ信号が入力されたときに、前記給湯装置に対して湯張りの開始を指示すると共に、前記第２ＨＡ端子のモニタ信号出力部から前記第１ＨＡ端子のモニタ信号入力部に第２モニタ信号を出力することを特徴とする。
【００２６】
かかる本発明によれば、ＩＦＵは、通信ネットワークを介して通信端末から湯張り指示信号を受信したときに、第１ＨＡ端子の制御信号出力部から排水栓制御装置の第３ＨＡ端子の制御信号入力部に制御信号を出力する。また、排水栓制御装置の制御部は、第３ＨＡ端子の制御信号入力部に制御信号が入力されたときに、第３ＨＡ端子のモニタ信号出力部からリモコンの第２ＨＡ端子の制御信号入力部に第１モニタ信号を出力すると共に、排水栓駆動部により排水栓を閉栓状態に制御する。
【００２７】
そして、リモコンは、第２ＨＡ端子の制御信号入力部にモニタ信号が入力されたときに、給湯装置に対して湯張りの開始を指示すると共に、第２ＨＡ端子のモニタ信号出力部からＩＦＵの第１ＨＡ端子のモニタ信号入力部に、第２モニタ信号を出力する。
【００２８】
これにより、ＩＦＵ及びリモコンに備えられた一つのＨＡ端子を利用した簡易な構成により、給湯装置に対する湯張りの開始指示に応じて、排水栓の閉栓制御を行うことができる。
【図面の簡単な説明】
【００２９】
【図１】本発明の排水栓制御装置、及び排水栓制御装置を用いた湯張り指示対応システムの構成図。
【図２】第１実施形態における排水栓制御装置、リモコン、及びＨＡ端子用インターフェースユニット（ＩＦＵ）間の接続仕様の説明図。
【図３】第１実施形態における湯張り運転時の制御信号、モニタ信号、湯張り動作、及び排水栓の状態のタイミングチャート。
【図４】第１実施形態において湯張り運転が途中で中止された時の制御信号、モニタ信号、湯張り動作、及び排水栓の状態のタイミングチャート。
【図５】第２実施形態における排水栓制御装置、リモコン、及びＨＡ端子用インターフェースユニット（ＩＦＵ）間の接続仕様の説明図。
【図６】第２実施形態における湯張り運転時の制御信号、モニタ信号、湯張り動作、及び排水栓の状態のタイミングチャート。
【図７】第２実施形態において湯張り運転が途中で中止された時の制御信号、モニタ信号、湯張り動作、及び排水栓の状態のタイミングチャート。
【発明を実施するための形態】
【００３０】
本発明の実施形態について、図１〜図７を参照して説明する。
【００３１】
［１．湯張り指示対応システムの構成］
図１を参照して、本実施形態の湯張り指示対応システム１（図２の１ａ、図５の１ｂを含む）は、通信ネットワーク２に接続されたＨＡ（ホームオートメーション）端子（ＪＥＭ−Ａ端子）用インターフェースユニット２０（以下、ＩＦＵ２０という）、給湯装置５０を遠隔操作するための台所リモコン３０（本発明のリモコンに相当する）、及び浴槽６０に備えられた排水栓６２のアクチュエータ６３による開栓と閉栓を制御する排水栓制御装置１０（図２の１０ａ、図５の１０ｂを含む）によって構成されている。
【００３２】
給湯装置５０は、上水道に接続された給水管５１に供給される水を、ガス供給管５３から供給される燃料ガスを燃焼させるバーナ（図示しない）により加熱して給湯管５２に出湯する給湯運転を実行する。また、給湯装置５０は、風呂往き管５５及び風呂戻り管５４によって浴槽６０のアダプター６１に接続されており、浴槽６０の湯水を風呂往き管５５及び風呂戻り管５４を介して循環させながら加熱する追焚き運転と、風呂往き管５５及び風呂戻り管５４を介して浴槽６０に所定量の湯を供給する湯張り運転とを実行する。
【００３３】
給湯運転において給湯管５２に供給される湯の温度（目標給湯温度）、湯張り運転において浴槽６０に供給される湯の温度（目標湯張り温度）、湯張り運転において浴槽６０に供給される湯の量（目標湯張り量）等は、台所リモコン３０又は風呂リモコン４０により設定される。
【００３４】
ＩＦＵ２０は、第１ＨＡ端子２１を有し、通信ネットワーク２（インターネット、電話回線等）を介して、使用者Ｐが所持するスマートフォン５（本発明の通信端末に相当する）から送信される機器の作動又は停止の指示信号を受信したときに、第１ＨＡ端子２１に接続された機器に対して制御信号を送信する。また、この制御信号の送信に応じて機器から送信されるモニタ信号を受信したときに、スマートフォン５に対して機器の状態（作動／停止）を示す通信を送信する。
【００３５】
本実施形態では、使用者Ｐが、スマートフォン５を操作して湯張りの実行を指示すると、スマートフォン５から通信ネットワーク２を介してＩＦＵ２０に指示信号が送信される。そして、この指示信号を受信したＩＦＵ２０は、第１ＨＡ端子２１から制御信号を出力する。
【００３６】
台所リモコン３０は、ＩＦＵ２０の第１ＨＡ端子２１及び後述する排水栓制御装置１０の第３ＨＡ端子１１と接続された第２ＨＡ端子３１を備え、第２ＨＡ端子３１に入力される制御信号に応じて湯張り運転を実行する。
【００３７】
排水栓制御装置１０は、ＩＦＵ２０の第１ＨＡ端子２１及び台所リモコン３０の第２ＨＡ端子３１と接続された第３ＨＡ端子１１を備え、第３ＨＡ端子１１に入力される制御信号に応じて、排水栓６２を閉栓状態に制御する。
【００３８】
排水栓６２は浴槽６０の底部に設けられ、排水栓制御装置１０から出力される駆動信号によって作動するアクチュエータ６３により、開栓状態と閉栓状態とに切り替えられる。
【００３９】
［２．第１実施形態でのＩＦＵ、台所リモコン、及び排水栓制御装置間の接続態様］
次に、図２を参照して、第１実施形態の湯張り指示対応システム１ａにおけるＩＦＵ２０、台所リモコン３０、及び排水栓制御装置１０ａに設けられたＨＡ端子間の接続態様について説明する。
【００４０】
ＩＦＵ２０に備えられた第１ＨＡ端子２１は、コントローラ用のＨＡ端子であり、制御信号を出力する制御信号出力部Ｃ１，Ｃ２と、モニタ信号を入力するモニタ信号入力部Ｍ１，Ｍ２とを備えている。
【００４１】
台所リモコン３０に備えられた第２ＨＡ端子３１は、端末用のＨＡ端子であり、制御信号を入力する制御信号入力部Ｃ１，Ｃ２と、モニタ信号を出力するモニタ信号出力部Ｍ１，Ｍ２とを備えている。
【００４２】
排水栓制御装置１０ａに備えられた第３ＨＡ端子１１は、端末用のＨＡ端子であり、制御信号を入力する制御信号入力部Ｃ１，Ｃ２と、モニタ信号を出力するモニタ信号出力部Ｍ１，Ｍ２とを備えている。
【００４３】
また、排水栓制御装置１０ａは、ＣＰＵ，メモリ，各種インターフェース回路等により構成されて、メモリに保持された排水栓制御装置１０ａの制御用プログラムをＣＰＵにより実行することによって、排水栓制御装置１０ａの全体的な作動を制御する制御部１２ａとして機能する。また、排水栓制御装置１０ａは、アクチュエータ６３に対して駆動信号を出力する排水栓駆動部１３を備えている。
【００４４】
ＩＦＵ２０の第１ＨＡ端子２１の制御信号出力部Ｃ１，Ｃ２は、台所リモコン３０の第２ＨＡ端子３１の制御信号入力部Ｃ１，Ｃ２に接続され、第１ＨＡ端子２１のモニタ信号入力部Ｍ１，Ｍ２は、排水栓制御装置１０ａの第３ＨＡ端子１１のモニタ信号出力部Ｍ１，Ｍ２に接続されている。さらに、台所リモコン３０の第２ＨＡ端子３１のモニタ信号出力部Ｍ１，Ｍ２は、排水栓制御装置１０ａの第３ＨＡ端子１１の制御信号出力部Ｃ１，Ｃ２に接続されている。
【００４５】
［３．第１実施形態での湯張り開始から完了までの通信手順］
次に、図１，２を参照しつつ、図３に示したタイミングチャートに従って、第１実施形態における使用者Ｐのスマートフォン５を用いた遠隔操作による湯張りの実行手順について説明する。
【００４６】
図３は、共通の時間軸ｔに対して、上から順に、ＩＦＵ２０の第１ＨＡ端子２１の制御信号出力部Ｃ１，Ｃ２から台所リモコン３０の第２ＨＡ端子３１の制御信号入力部Ｃ１，Ｃ２に出力される制御信号Ｃtr、台所リモコン３０の第２ＨＡ端子３１のモニタ信号出力部Ｍ１，Ｍ２から排水栓制御装置１０ａの第３ＨＡ端子１１の制御信号入力部Ｃ１，Ｃ２に出力される第１モニタ信号Ｍon1、排水栓制御装置１０ａの第３ＨＡ端子１１のモニタ信号出力部Ｍ１，Ｍ２からＩＦＵ２０の第１ＨＡ端子２１のモニタ信号入力部Ｍ１，Ｍ２に出力される第２モニタ信号Ｍon2、湯張り動作状態、及び排水栓６２の状態の推移を示している。
【００４７】
・ＳＴＥＰ１： 使用者Ｐがスマートフォン５（図１参照）を操作して湯張りの指示を行うことによって、ＩＦＵ２０に指示信号が送信されたときに、ＩＦＵ２０は、ｔ11〜ｔ12で第１ＨＡ端子２１の制御信号出力部Ｃ１，Ｃ２から制御信号Ｃtrを出力する（図２の(1)）。
【００４８】
・ＳＴＥＰ２：台所リモコン３０は、制御信号Ｃtrを第２ＨＡ端子の制御信号入力部Ｃ１，Ｃ２から入力したｔ13で、第２ＨＡ端子３１のモニタ信号出力部Ｍ１，Ｍ２から第１モニタ信号Ｍon1を出力する（図２の(2)）。また、台所リモコン３０は、給湯装置５０に対して湯張り運転の開始を指示し、これにより、給湯装置５０は湯張り動作を開始する。
【００４９】
・ＳＴＥＰ３：排水栓制御装置１０ａの制御部１２ａは、第１モニタ信号Ｍon1を第３ＨＡ端子１１の制御信号入力部Ｃ１，Ｃ２から入力したときに、排水栓６２が開栓状態であるときには、排水栓駆動部１３によりアクチュエータ６３を作動させて排水栓６２を閉栓状態に制御すると共に、第３ＨＡ端子１１のモニタ信号出力部Ｍ１，Ｍ２から第２モニタ信号Ｍon2を出力する（図２の(3)）。これにより、排水栓６２が閉栓した状態で、湯張り動作が行われる。
【００５０】
・ＳＴＥＰ４： 給湯装置５０は、湯張り運転が完了すると、台所リモコン３０及び風呂リモコン４０に対して湯張りの完了を報知する信号を送信し、この信号を受信した台所リモコン３０は、ｔ14で、第２ＨＡ端子３１のモニタ信号出力部Ｍ１，Ｍ２からの第１モニタ信号Ｍon1の出力を停止する。
【００５１】
・ＳＴＥＰ５： 排水栓制御装置１０ａの制御部１２ａは、第３ＨＡ端子１１の制御信号入力部Ｃ１,Ｃ２への第１モニタ信号Ｍon1の入力が停止したことを認識したときに、第３ＨＡ端子１１のモニタ信号出力部Ｍ１，Ｍ２からの第２モニタ信号Ｍon2の出力を停止する。
【００５２】
・ＳＴＥＰ６： ＩＦＵ２０は、第１ＨＡ端子２１のモニタ信号入力部Ｍ１，Ｍ２への第２モニタ信号Ｍon2の入力が停止したとき（湯張りが完了したとき）に、使用者Ｐのスマートフォン５に対して、湯張りの完了を報知する信号を送信する。この信号を受信したスマートフォン５は、湯張り完了の報知（報知画面の表示、報知音声の出力等）を行って、使用者Ｐに湯張りの完了を報知する。
【００５３】
［４．第１実施形態における湯張りの中止操作があった場合の通信手順］
次に、図１，２を参照しつつ、図４に示したタイミングチャートに従い、第１実施形態において、スマートフォン５による遠隔操作によって湯張り運転が実行されているときに、使用者Ｐがスマートフォン５により湯張りを中止する操作を行った場合の湯張りの中止手順について説明する。
【００５４】
図４のｔ21〜ｔ23は湯張り開始の通信手順であって、上述した図３のｔ11〜ｔ13の通信手順と同様であるので、説明を省略する。
【００５５】
・ＳＴＥＰ７： 使用者Ｐがスマートフォン５を操作して湯張りの中止の指示を行うことによって、スマートフォン５からＩＦＵ２０に湯張り中止の指示信号が送信されたときに、ＩＦＵ２０は、ｔ24〜ｔ25で第１ＨＡ端子２１の制御信号出力部Ｃ１，Ｃ２から制御信号Ｃtrを出力する。
【００５６】
・ＳＴＥＰ８： 台所リモコン３０は、第２ＨＡ端子３１の制御信号入力部Ｃ１，Ｃ２への制御信号Ｃtrの入力を認識（ＣtrがＯＦＦ→ＯＮ→ＯＦＦになったことを認識）すると、第２ＨＡ端子３１のモニタ信号出力部Ｍ１，Ｍ２からの第１モニタ信号Ｍon1の出力を停止（Ｍon1をＯＦＦ）する。
【００５７】
また、台所リモコン３０は、給湯装置５０に対して湯張り運転の終了を指示し、これにより給湯装置５０は湯張り動作を終了する。
【００５８】
・ＳＴＥＰ９： 排水栓制御装置１０ａの制御部１２ａは、第３ＨＡ端子１１の制御信号入力部Ｃ１，Ｃ２に入力されていた第１モニタ信号Ｍon1が停止したことを認識（Ｍon1のＯＮ→ＯＦＦの切り替わりを認識）したときに、第３ＨＡ端子１１のモニタ信号出力部Ｍ１，Ｍ２からの第２モニタ信号Ｍon2の出力を停止する。
【００５９】
・ＳＴＥＰ１０： ＩＦＵ２０は、第１ＨＡ端子２１のモニタ信号入力部Ｍ１，Ｍ２に入力されていた第２モニタ信号Ｍon2が停止したことを認識（Ｍon2のＯＮ→ＯＦＦの切り替わりを認識）したときに、使用者Ｐのスマートフォン５に対して、湯張り中止の完了を報知する信号を送信する。この信号を受信したスマートフォン５は、湯張り中止の完了の報知（報知画面の表示、報知音声の出力等）を行って、使用者Ｐに湯張り中止の完了を報知する。
【００６０】
［５．第２実施形態でのＩＦＵ、台所リモコン、及び排水栓制御装置間の接続態様］
次に、図５を参照して、第２実施形態の湯張り指示対応システム１ｂにおけるＩＦＵ２０、台所リモコン３０、及び排水栓制御装置１０ｂに設けられたＨＡ端子間の接続態様について説明する。なお、上述した第１実施形態と同じ構成については、同一の符号を付して説明を省略する。
【００６１】
排水栓制御装置１０ｂは、ＣＰＵ，メモリ，各種インターフェース回路等により構成されて、メモリに保持された排水栓制御装置１０ｂの制御用プログラムをＣＰＵにより実行することによって、排水栓制御装置１０ｂの全体的な作動を制御する制御部１２ｂとして機能する。また、排水栓制御装置１０ｂには、アクチュエータ６３に対して駆動信号を出力する排水栓駆動部１３を備えている。
【００６２】
ＩＦＵ２０の第１ＨＡ端子２１の制御信号出力部Ｃ１，Ｃ２は、排水栓制御装置１０ｂの第３ＨＡ端子１１の制御信号入力部Ｃ１，Ｃ２に接続され、第１ＨＡ端子のモニタ信号入力部Ｍ１，Ｍ２は、台所リモコン３０の第２ＨＡ端子３１のモニタ信号出力部Ｍ１，Ｍ２に接続されている。さらに、排水栓制御装置１０ｂの第３ＨＡ端子１１のモニタ信号出力部Ｍ１，Ｍ２は、台所リモコン３０の第２ＨＡ端子３１の制御信号入力部Ｃ１，Ｃ２に接続されている。
【００６３】
［６．第２実施形態での湯張り開始から完了までの通信手順］
次に、図１，５を参照しつつ、図６に示したタイミングチャートに従って、第２実施形態における使用者Ｐのスマートフォン５を用いた遠隔操作による湯張りの実行手順について説明する。
【００６４】
図５は、共通の時間軸ｔに対して、上から順に、ＩＦＵ２０の第１ＨＡ端子２１の制御信号出力部Ｃ１，Ｃ２から排水栓制御装置１０ｂの第３ＨＡ端子１１の制御信号入力部Ｃ１，Ｃ２に出力される制御信号Ｃtr、排水栓制御装置１０ｂの第３ＨＡ端子のモニタ信号出力部Ｍ１，Ｍ２から台所リモコン３０の第２ＨＡ端子３１の制御信号入力部Ｃ１，Ｃ２に出力される第１モニタ信号Ｍon1、台所リモコン３０の第２ＨＡ端子３１のモニタ信号出力部Ｍ１，Ｍ２からＩＦＵ２０の第１ＨＡ端子２１のモニタ信号入力部Ｍ１，Ｍ２に出力される第２モニタ信号Ｍon2、湯張り動作状態、及び排水栓６２の状態の推移を示している。
【００６５】
・ＳＴＥＰ３０： 使用者Ｐがスマートフォン５（図１参照）を操作して湯張りの指示を行うことによって、ＩＦＵ２０に指示信号が送信されたときに、ＩＦＵ２０は、ｔ31〜ｔ32で第１ＨＡ端子２１の制御信号出力部Ｃ１，Ｃ２から制御信号Ｃtrを出力する（図５の(1)）。
【００６６】
・ＳＴＥＰ３１：排水栓制御装置１０ｂは、制御信号Ｃtrを第３ＨＡ端子１１の制御信号入力部Ｃ１，Ｃ２から入力したｔ33で、第３ＨＡ端子３１のモニタ信号出力部Ｍ１，Ｍ２から第１モニタ信号Ｍon1を出力する（図５の(2)）。また、排水栓制御装置１０ｂの制御部１２ｂは、排水栓６２が開栓状態であるときには、排水栓駆動部１３によりアクチュエータ６３を作動させて排水栓６２を閉栓状態に制御する。
【００６７】
・ＳＴＥＰ３２： 台所リモコン３０は、第１モニタ信号Ｍon1を第２ＨＡ端子３１の制御信号入力部Ｃ１，Ｃ２から入力したときに、給湯装置５０に対して湯張り運転の開始を指示し、これにより、給湯装置５０は湯張り動作を開始する。また、台所リモコン３０は、湯張り運転の実行中は、第２ＨＡ端子３１のモニタ信号出力部Ｍ１，Ｍ２から第２モニタ信号Ｍon2を出力する（図５の(3)）。
【００６８】
・ＳＴＥＰ３３： 給湯装置５０は、湯張り運転が終了すると、台所リモコン３０及び風呂リモコン４０に対して湯張りの完了を報知する信号を送信し、この信号を受信した台所リモコン３０は、ｔ34で、第２ＨＡ端子３１のモニタ信号出力部Ｍ１，Ｍ２からの第２モニタ信号Ｍon2の出力を停止する。
【００６９】
・ＳＴＥＰ３４： ＩＦＵ２０は、第１ＨＡ端子２１のモニタ信号入力部Ｍ１，Ｍ２への第２モニタ信号Ｍon2の入力が停止したとき（湯張りが完了したとき）に、使用者Ｐのスマートフォン５に対して、湯張りの完了を報知する信号を送信する。この信号を受信したスマートフォン５は、使用者Ｐに対して湯張り完了の報知（報知画面の表示、報知音声の出力）を行う。
【００７０】
［７．第２実施形態における湯張りの中止操作があった場合の通信手順］
次に、図１，５を参照しつつ、図７に示したタイミングチャートに従い、第２実施形態において、スマートフォン５による遠隔操作によって湯張り運転が実行されているときに、使用者Ｐがスマートフォン５により湯張りを中止する操作を行った場合の湯張りの中止手順について説明する。
【００７１】
図７のｔ41〜ｔ43は湯張り開始の通信手順であって、上述した図６のｔ31〜ｔ33の通信手順と同様であるので、説明を省略する。
【００７２】
・ＳＴＥＰ３５： 使用者Ｐがスマートフォン５を操作して湯張りの中止の指示を行うことによって、スマートフォン５からＩＦＵ２０に湯張り中止の指示信号が送信されたときに、ＩＦＵ２０は、ｔ44〜ｔ45で第１ＨＡ端子２１の制御信号出力部Ｃ１，Ｃ２から制御信号Ｃtrを出力する。
【００７３】
・ＳＴＥＰ３６： 排水栓制御装置１０ｂの制御部１２ｂは、第３ＨＡ端子１１の制御信号入力部Ｃ１，Ｃ２への制御信号Ｃtrの入力を認識（ＣtrがＯＦＦ→ＯＮ→ＯＦＦになったことを認識）すると、第３ＨＡ端子１１のモニタ信号出力部Ｍ１，Ｍ２からの第１モニタ信号Ｍon1の出力を停止する。
【００７４】
・ＳＴＥＰ３７： 台所リモコン３０は、第２ＨＡ端子３１の制御信号入力部Ｃ１，Ｃ２に入力されていた第１モニタ信号Ｍon1が停止したことを認識（Ｍon1のＯＮ→ＯＦＦの切り替わりを認識）したときに、第２ＨＡ端子３１のモニタ信号出力部Ｍ１，Ｍ２からの第２モニタ信号Ｍon2の出力を停止する。
【００７５】
また、台所リモコン３０は、給湯装置５０に対して湯張り運転の終了を指示し、これにより給湯装置５０は湯張り動作を終了する。
【００７６】
・ＳＴＥＰ３８： ＩＦＵ２０は、第１ＨＡ端子２１のモニタ信号入力部Ｍ１，Ｍ２に入力されていた第２モニタ信号Ｍon2が停止したことを認識（Ｍon2のＯＮ→ＯＦＦの切り替わりを認識）したときに、使用者Ｐのスマートフォン５に対して、湯張り中止の完了を報知する信号を送信する。この信号を受信したスマートフォン５は、使用者Ｐに対して湯張り中の完了の報知（報知画面の表示、報知音声の出力等）を行う。
【００７７】
［８．他の実施形態］
本実施形態では、ＩＦＵ２０と通信を行って湯張りの遠隔操作を行う通信端末として、スマートフォン５を示したが、ＩＦＵ２０との間で通信を行う機能を有する通信端末であればよく、携帯電話、タブレット、パソコン等を用いることもできる。
【符号の説明】
【００７８】
１（１ａ，１ｂ）…湯張り指示対応システム、２…通信ネットワーク、５…スマートフォン（通信端末）、１０（１０ａ，１０ｂ）…排水栓制御装置、１１…第３ＨＡ端子、１２（１２ａ，１２ｂ）…制御部、１３…排水栓駆動部、２０…ＩＦＵ（ＨＡ端子用インターフェースユニット）、２１…第１ＨＡ端子、３０…台所リモコン、３１…第２ＨＡ端子、５０…給湯装置、６０…浴槽、６２…排水栓、６３…（排水栓６２の）アクチュエータ。
【図１】
0006591905.tif 000002
【図２】
0006591905.tif 000003
【図３】
0006591905.tif 000004
【図４】
0006591905.tif 000005
【図５】
0006591905.tif 000006
【図６】
0006591905.tif 000007
【図７】
0006591905.tif 000008